(57)【特許請求の範囲】
【請求項１】
ディスプレイと、重力向きを検知する加速度センサとを有する端末に搭載されたコンピュータを機能させるユーザインタフェースプログラムであって、
行為項目と、行為時刻（又は時刻幅）と、行為内容情報とを対応付けたイベントを記憶するイベント記憶手段と、
前記加速度センサによって検知された重力向きによって、前記ディスプレイの第１の向き又は第２の向きの回転を判定するディスプレイ回転判定手段と、
前記ディスプレイが第１の向きである際に、時間軸を所定時間単位に区分したタイムスケールを表示するタイムスケール表示手段と、
前記ディスプレイが第１の向きである際に、前記タイムスケールに対して、前記行為項目毎に且つ所定時間単位毎に、前記イベントのオブジェクトを表示するイベントオブジェクト表示手段と、
前記ディスプレイが第１の向きである際に、前記タイムスケールに対して、時刻軸を表示すると共に、当該時刻軸をユーザ操作に応じて所望の時間単位区分の位置に移動させる時刻軸表示手段と、
前記表示画像が第２の向きに切り替えられた際に、前記時刻軸に対応する時間単位区分における前記行為項目及び前記行為内容情報を表示する行為内容表示手段と
してコンピュータを機能させることを特徴とするユーザインタフェースプログラム。
【請求項２】
前記ディスプレイは、縦横比が異なる長方形状であり、
第１の向きの態様は、ユーザが当該ディスプレイを横型に向けた状態であり、
第２の向きの態様は、ユーザが当該ディスプレイを縦型に向けた状態である
ことを特徴とする請求項１に記載のユーザインタフェースプログラム。
【請求項３】
前記行為内容表示手段は、前記時刻軸に対応する時間単位区分における前記行為項目の前記イベントの総数及び／又は平均値を更に表示することを特徴とする請求項１又は２に記載のユーザインタフェースプログラム。
【請求項４】
前記ディスプレイは、タッチパネル式であって、
タブレット型／スレート型パーソナルコンピュータ又はスマートフォンの携帯端末に搭載されたコンピュータを機能させることを特徴とする請求項１から３のいずれか１項に記載のユーザインタフェースプログラム。
【請求項５】
前記タイムスケール表示手段は、複数の異なるタイムスケールの時間軸を複数のラインによって表示しており、
ユーザの指又はポインティングデバイスによって、前記複数のラインのいずれか１つを選択させるタイムスケール変更手段を更に有するようにコンピュータを機能させることを特徴とする請求項４に記載のユーザインタフェースプログラム。
【請求項６】
前記時刻軸表示手段は、ユーザによって過去の行為内容情報が閲覧される際に、ユーザの指又はポインティングデバイスによって、前記時刻軸を所望の時間単位区分に移動させることを特徴とする請求項４又は５に記載のユーザインタフェースプログラム。
【請求項７】
当該ユーザインタフェースプログラムは、医療従事者によって観察される電子カルテ情報を表示するものであり、
前記行為項目は、医療行為を意味し、
前記行為内容情報は、当該医療行為における数値を表し、
前記行為時刻（又は時刻幅）は、当該医療行為を行った時刻（又は時刻幅）を表す
ことを特徴とする請求項１から６のいずれか１項に記載のユーザインタフェースプログラム。
【請求項８】
ディスプレイと、重力向きを検知する加速度センサとを有する携帯端末であって、
行為項目と、行為時刻（又は時刻幅）と、行為内容情報とを対応付けたイベントを記憶するイベント記憶手段と、
前記加速度センサによって検知された重力向きによって、前記ディスプレイの第１の向き又は第２の向きの回転を判定するディスプレイ回転判定手段と、
前記ディスプレイが第１の向きである際に、時間軸を所定時間単位に区分したタイムスケールを表示するタイムスケール表示手段と、
前記ディスプレイが第１の向きである際に、前記タイムスケールに対して、前記行為項目毎に且つ所定時間単位毎に、前記イベントのオブジェクトを表示するイベントオブジェクト表示手段と、
前記ディスプレイが第１の向きである際に、前記タイムスケールに対して、時刻軸を表示すると共に、当該時刻軸をユーザ操作に応じて所望の時間単位区分の位置に移動させる時刻軸表示手段と、
前記表示画像が第２の向きに切り替えられた際に、前記時刻軸に対応する時間単位区分における前記行為項目及び前記行為内容情報を表示する行為内容表示手段と
を有することを特徴とする携帯端末。
【請求項９】
ディスプレイと、重力向きを検知する加速度センサとを有する携帯端末を用いたユーザインタフェース表示方法であって、
行為項目と、行為内容情報及び行為時刻（又は時刻幅）を対応付けたイベントを記憶するイベント記憶部を有し、
前記加速度センサによって検知された重力向きによって、前記ディスプレイの第１の向き又は第２の向きの回転を判定する第１のステップと、
前記ディスプレイが第１の向きである際に、時間軸を所定時間単位に区分したタイムスケールを表示する第２のステップと、
前記ディスプレイが第１の向きである際に、前記タイムスケールに対して、前記行為項目毎に且つ所定時間単位毎に、前記イベントのオブジェクトを表示する第３のステップと、
前記ディスプレイが第１の向きである際に、前記タイムスケールに対して、時刻軸を表示すると共に、当該時刻軸をユーザ操作に応じて所望の時間単位区分の位置に移動させる第４のステップと、
前記表示画像が第２の向きに切り替えられた際に、前記時刻軸に対応する時間単位区分における前記行為項目及び前記行為内容情報を表示する第５のステップと
を有することを特徴とするユーザインタフェース表示方法。
【発明の詳細な説明】
【技術分野】
【０００１】
本発明は、時系列データを表示するユーザインタフェース画面の技術に関する。例えば医療従事者によって観察される電子カルテ情報の表示画面に適用される。
【背景技術】
【０００２】
従来、プロジェクト管理用の時系列データを、ユーザが理解しやすいように様々な観点から表示する「ユーザインタフェースアプリケーション」がある。特に、医療用の電子カルテ情報については、医療従事者が、患者毎に、次の治療計画を検討するために、過去の治療行為を時間軸に沿って迅速に観察できることが望まれる。このようなユーザインタフェースアプリケーションとして、スケジュール表によって医療行為を観察することができる、例えば「クリニカルパス」と称される技術がある。
【０００３】
電子カルテ情報を表示するユーザインタフェースとして、横軸に、例えば年単位・月単位・日単位のような多段階の時間軸を表示し、縦軸に医療行為（病名・投薬・診断・検査等）を表示する技術がある（例えば特許文献１〜３参照）。この技術によれば、実際に行われた医療行為が、時間軸に沿ったオブジェクトとして表示されている。観察者は、時間軸の一定のタイムスケール（時間尺度）を、任意の段階に変更することができ、過去の医療行為の経緯について俯瞰することができる。この情報の俯瞰性の高さは、医療従事者の思考に対して、行為項目同士の因果関係の推定等を容易にするようサポートする。特に、最適なタイムスケールで見ることによって、一見ランダムに見える医療行為の因果関係を見比べることもできる。
【先行技術文献】
【特許文献】
【０００４】
【特許文献１】特開２００８−１９２００２号公報
【特許文献２】特開２００９−１３４７１３号公報
【特許文献３】特開２００９−２８２５５７号公報
【発明の概要】
【発明が解決しようとする課題】
【０００５】
医療従事者が、患者の時系列の医療行為データを観察する際に、長期観察だけでなく、短期観察も併用することが好ましい。例えば１９８３年生まれの患者の場合、１９８３〜１９８４年の間に乳幼児特有の病気や検査（イベント）が集中する。成人後にその乳幼児期の病気等が影響している場合、その乳幼児期の短い期間のタイムスケールを長く表示することが所望される。一方で、高齢の患者の場合、若年齢時期の病気等を含めて、比較的長いタイムスケールで表示することも所望される。即ち、医療従事者にとっては、患者に対する医療行為全体を視覚的に俯瞰すると共に、医療行為が多く行われた時期については詳細に観察したいとする要求もある。前述した特許文献１〜３に記載された技術によれば、電子カルテ情報は、タイムスケールを単に伸縮させるにすぎない。
【０００６】
また、電子カルテシステムとしては専用端末が用いられており、医療従事者は、システム特有の操作をする必要があった。これに対し、近年では、タッチパネルディスプレイを搭載し、ユーザの指で直感的に操作することができるタブレット型／スレート型パーソナルコンピュータ及びスマートフォンのような端末が普及してきている。また、電子カルテシステムについても、このようなタブレット型端末を用いることによって、医療従事者における操作負担を軽減させることができる。
【０００７】
そのために、タブレット型端末のような携帯端末を用いて、時系列に発生したイベントについて、長期／短期の観察表示を切り替えることが好ましい。データの長期的な観察表示については、各行為項目の時間的な推移を大まかに閲覧する必要があるため、より長い時間軸を用いてデータを視覚的に表示することが望ましい。一方で、データの短期的な分析については、短い時間軸内に存在するデータの数値情報等を、仔細に閲覧する方が望ましい。
【０００８】
このようなデータの表示形式を容易に実行する技術に対するニーズは、特に緊急時であるほど、顕著となる。例えば、長期的な経過観察を行うべき病気の患者が、容態変化した場合には、長期的なデータの推移を俯瞰する一方、短期間のデータの詳細な数値情報を閲覧する必要がある。
【０００９】
また、データの表示形式の切り替え操作の際、医療現場で多用される手袋等を使用している場合、近年多く用いられる静電容量式タッチパネルによる操作はできない。そのために、例えば静電容量式タッチパネル上に切り替えボタンを配置し、そのボタンの押下によって長期的なデータの推移の表示と数値データの表示を切り替える技術では操作が困難で、ユーザフレンドリーに欠けるという問題もある。
【００１０】
そこで、本発明によれば、タブレット型端末のような携帯端末を用いて、時系列に発生したイベントについて、長期／短期の観察表示を容易に切り替えることができるユーザインタフェースプログラム、携帯端末及び方法を提供することを目的とする。
【課題を解決するための手段】
【００１１】
本発明によれば、ディスプレイと、重力向きを検知する加速度センサとを有する端末に搭載されたコンピュータを機能させるユーザインタフェースプログラムであって、
行為項目と、行為時刻（又は時刻幅）と、行為内容情報とを対応付けたイベントを記憶するイベント記憶手段と、
加速度センサによって検知された重力向きによって、ディスプレイの第１の向き又は第２の向きの回転を判定するディスプレイ回転判定手段と、
ディスプレイが第１の向きである際に、時間軸を所定時間単位に区分したタイムスケールを表示するタイムスケール表示手段と、
ディスプレイが第１の向きである際に、タイムスケールに対して、行為項目毎に且つ所定時間単位毎に、イベントのオブジェクトを表示するイベントオブジェクト表示手段と、
ディスプレイが第１の向きである際に、タイムスケールに対して、時刻軸を表示すると共に、当該時刻軸をユーザ操作に応じて所望の時間単位区分の位置に移動させる時刻軸表示手段と、
表示画像が第２の向きに切り替えられた際に、時刻軸に対応する時間単位区分における行為項目及び行為内容情報を表示する行為内容表示手段と
してコンピュータを機能させることを特徴とする。
【００１２】
本発明のユーザインタフェースプログラムにおける他の実施形態によれば、
ディスプレイは、縦横比が異なる長方形状であり、
第１の向きの態様は、ユーザが当該ディスプレイを横型に向けた状態であり、
第２の向きの態様は、ユーザが当該ディスプレイを縦型に向けた状態である
ようにコンピュータを機能させることも好ましい。
【００１３】
本発明のユーザインタフェースプログラムにおける他の実施形態によれば、行為内容表示手段は、時刻軸に対応する時間単位区分における行為項目のイベントの総数及び／又は平均値を更に表示するようにコンピュータを機能させることも好ましい。
【００１４】
本発明のユーザインタフェースプログラムにおける他の実施形態によれば、
ディスプレイは、タッチパネル式であって、
タブレット型／スレート型パーソナルコンピュータ又はスマートフォンの携帯端末に搭載されたコンピュータを機能させることも好ましい。
【００１５】
本発明のユーザインタフェースプログラムにおける他の実施形態によれば、
タイムスケール表示手段は、複数の異なるタイムスケールの時間軸を複数のラインによって表示しており、
ユーザの指又はポインティングデバイスによって、複数のラインのいずれか１つを選択させるタイムスケール変更手段を更に有するようにコンピュータを機能させることも好ましい。
【００１６】
本発明のユーザインタフェースプログラムにおける他の実施形態によれば、時刻軸表示手段は、ユーザによって過去の行為内容情報が閲覧される際に、ユーザの指又はポインティングデバイスによって、時刻軸を所望の時間単位区分に移動させるようにコンピュータを機能させることも好ましい。
【００１７】
本発明のユーザインタフェースプログラムにおける他の実施形態によれば、
当該ユーザインタフェースプログラムは、医療従事者によって観察される電子カルテ情報を表示するものであり、
行為項目は、医療行為を意味し、
行為内容情報は、当該医療行為における数値を表し、
行為時刻（又は時刻幅）は、当該医療行為を行った時刻（又は時刻幅）を表す
ようにコンピュータを機能させることも好ましい。
【００１８】
本発明によれば、ディスプレイと、重力向きを検知する加速度センサとを有する携帯端末であって、
行為項目と、行為時刻（又は時刻幅）と、行為内容情報とを対応付けたイベントを記憶するイベント記憶手段と、
加速度センサによって検知された重力向きによって、ディスプレイの第１の向き又は第２の向きの回転を判定するディスプレイ回転判定手段と、
ディスプレイが第１の向きである際に、時間軸を所定時間単位に区分したタイムスケールを表示するタイムスケール表示手段と、
ディスプレイが第１の向きである際に、タイムスケールに対して、行為項目毎に且つ所定時間単位毎に、イベントのオブジェクトを表示するイベントオブジェクト表示手段と、
ディスプレイが第１の向きである際に、タイムスケールに対して、時刻軸を表示すると共に、当該時刻軸をユーザ操作に応じて所望の時間単位区分の位置に移動させる時刻軸表示手段と、
表示画像が第２の向きに切り替えられた際に、時刻軸に対応する時間単位区分における行為項目及び行為内容情報を表示する行為内容表示手段と
を有することを特徴とする。
【００１９】
本発明によれば、ディスプレイと、重力向きを検知する加速度センサとを有する携帯端末を用いたユーザインタフェース表示方法であって、
行為項目と、行為内容情報及び行為時刻（又は時刻幅）を対応付けたイベントを記憶するイベント記憶部を有し、
加速度センサによって検知された重力向きによって、ディスプレイの第１の向き又は第２の向きの回転を判定する第１のステップと、
ディスプレイが第１の向きである際に、時間軸を所定時間単位に区分したタイムスケールを表示する第２のステップと、
ディスプレイが第１の向きである際に、タイムスケールに対して、行為項目毎に且つ所定時間単位毎に、イベントのオブジェクトを表示する第３のステップと、
ディスプレイが第１の向きである際に、タイムスケールに対して、時刻軸を表示すると共に、当該時刻軸をユーザ操作に応じて所望の時間単位区分の位置に移動させる第４のステップと、
表示画像が第２の向きに切り替えられた際に、時刻軸に対応する時間単位区分における行為項目及び行為内容情報を表示する第５のステップと
を有することを特徴とする。
【発明の効果】
【００２０】
本発明のユーザインタフェースプログラム、携帯端末及び方法によれば、タブレット型端末のような携帯端末を用いて、時系列に発生したイベントについて、長期／短期の観察表示を容易に切り替えることがきる。
【図面の簡単な説明】
【００２１】
【図１】時系列データがディスプレイに表示されたタブレット型端末の外観図である。
【図２】タブレット型端末がユーザによって横型から縦型へ回転させている際の外観図である。
【図３】タブレット型端末がユーザによって縦型に把持された際の外観図である。
【図４】本発明におけるタブレット型端末の機能構成図である。
【発明を実施するための形態】
【００２２】
以下、本発明の実施の形態について、図面を用いて詳細に説明する。
【００２３】
図１は、時系列データがディスプレイに表示されたタブレット型端末の外観図である。
【００２４】
本発明によれば、タブレット型／スレート型パーソナルコンピュータ又はスマートフォンの携帯端末（以下「タブレット型端末」という）に適用される。タブレット型端末１のディスプレイ１０１は、タッチパネル式であって、縦横比が異なる長方形状である。
【００２５】
図１によれば、ユーザが、ディスプレイ１０１を、横型に向けた状態で把持している。また、タブレット型端末１のディスプレイ１０１には、医療従事者によって観察される電子カルテ情報（時系列データ）が表示されている。図１によれば、縦軸に複数の行為項目（医療行為）が表示され、横軸に時間軸が表示されている。時間軸の上部には、多段階の時間尺度（タイムスケール）を持つ複数の「ライン」が表示されている。例えば、以下のような３つのラインが表示される。
・年単位のライン（タイムスケールが大きい）
・月単位のライン
・日単位のライン（タイムスケールが小さい）
【００２６】
医療従事者は、その患者の過去の診療経緯に基づいて、多段階のタイムスケールのラインのいずれか１つを選択することができる。ここで、タッチパネルディスプレイによれば、複数のラインのいずれか１つを、ユーザの指又はポインティングデバイスによって選択することができる。選択されたラインに応じて、所望の時点（例えば現日時）から過去の診療経緯を表示する。
【００２７】
また、図１によれば、行為項目毎に、その行為が実行された旨のイベントが、時間軸上の該当位置に表示されている。イベントは、簡単な長方形のオブジェクトとして表示されている。「イベント」は、行為項目と、行為内容情報と、行為時刻（又は時刻幅）とが対応付けられた情報単位をいう。これらオブジェクト同士の間の距離は、選択されたラインにおけるタイムスケールによって変化する。即ち、タイムスケールが大きいほど、オブジェクト同士の間の距離は短くなり、タイムスケールが小さいほど、その距離は長くなる。
【００２８】
更に、図１によれば、タイムスケールに対して垂直に、「時刻軸」が表示されている。タッチパネルディスプレイによれば、この時刻軸も、ユーザの指又はポインティングデバイスによって、所望の時間単位区分に移動させることができる。
【００２９】
図２は、タブレット型端末がユーザによって横型から縦型へ回転させている際の外観図である。
【００３０】
ユーザは、所望の時間単位区分に「時刻軸」を移動させた後、タブレット型端末を回転させる。
【００３１】
図３は、タブレット型端末がユーザによって縦型に把持された際の外観図である。
【００３２】
図３によれば、時刻軸に対応する時間単位区分における行為項目及び行為内容情報が、ディスプレイに表示される。ここで、行為項目のイベントの総数及び／又は平均値が表示されることも好ましい。例えば、医療従事者は、ディスプレイを横型に把持することによって、医療行為の長期の観察表示を閲覧し、ディスプレイを縦型に把持することによって、短期の観察表示を閲覧することができる。具体的には、医療行為における検査値又は投薬量を、数値として具体的に理解することができる。
【００３３】
図４は、本発明におけるタブレット型端末の機能構成図である。
【００３４】
図４によれば、タブレット型端末１は、タッチパネルディスプレイ１０１と、加速度センサ１０２とを有する。タッチパネルディスプレイ１０１は、時系列データを表示すると共に、ユーザ操作を受け付ける。勿論、タッチパネルディスプレイに限られず、表示機能のみのディスプレイと、ユーザ操作機能のみのキー入力部とから構成されるものであってもよい。
【００３５】
加速度センサ１０２は、近年、多くのタブレット型端末に予め搭載されている。加速度センサ１０２は、ｘ軸、ｙ軸及びｚ軸毎の加速度（センサ座標系）を検出する。
【００３６】
図４のタブレット型端末１によれば、イベント記憶部１１１と、ディスプレイ回転判定部１１２と、タイムスケール表示部１１３と、イベントオブジェクト表示部１１４と、時間軸表示部１１５と、行為内容表示部１１６と、タイムスケール変更部１１７とを有する。これら機能構成部は、タブレット型端末に搭載されたコンピュータを機能させるプログラムを実行することによって実現される。尚、各機能構成部の処理の流れは、ユーザインタフェース表示方法としても理解できる。
【００３７】
イベント記憶部１１０は、その行為に基づく情報単位であるイベントを記憶する。イベントは、行為項目と、行為内容情報と、行為時刻（又は時刻幅）を対応付けたものである。
電子カルテ情報に関する「行為項目」としては、例えば「投薬」「検査」「注射」等となる。「行為内容情報」としては、例えば検査値や投薬量である。「時刻」としては、例えば検査日や投薬日である。また、「時刻幅」としては、例えばその医療行為の開始日と終了日との間の期間である。
【００３８】
各イベントは、図４に表されているように、構造化されたデータ（ＣＯＡ）として記憶される。ＣＯＡデータの最小単位は、時刻（又は時刻幅）を含み、時刻幅については、開示日時(begintime)と終了日時(endtime)とをメンバ変数として含む。縦型の向きへの変化が検知された際に、時刻幅に基づく時間単位区分について、その時間範囲に含まれるＣＯＡデータが検索される。例えば月単位のタイムスケールであれば、時刻幅に基づくその月単位区分について、その月に含まれるＣＯＡデータが検索される。
【００３９】
ディスプレイ回転判定部１１２は、加速度センサ１０２によって検知された重力向きによって、ディスプレイの縦型（第１の向き）又は横型（第２の向き）の回転を判定する。加速度センサ１０２からの加速度データから、重力ベクトルＧを算出する。携帯端末の重力方向は、所定時間範囲に検出された多数のｘ軸、ｙ軸及びｚ軸の加速度データを用いて、これら各軸の加速度の和のベクトルの向きを、重力方向とみなす。
【００４０】
i番目の各軸の加速度を、以下のように表す。
ｘ軸の加速度：ＡＣＣx[i]
ｙ軸の加速度：ＡＣＣy[i]
ｚ軸の加速度：ＡＣＣz[i]
ｎ個の加速度データの和は、以下のように表される。
ＡＣＣＳx＝Σi=1NＡＣＣx[i]
ＡＣＣＳy＝Σi=1NＡＣＣy[i]
ＡＣＣＳz＝Σi=1NＡＣＣz[i]
重力ベクトルＧは、以下のように表される。
Ｇ＝(ｇx、ｇy、ｇz)＝(ＡＣＣＳx、ＡＣＣＳy、ＡＣＣＳz)
重力ベクトルＧが、ディスプレイにおけるいずれの辺に向かっているかによって、縦型か横型かを判定することができる。
【００４１】
タイムスケール表示部１１３は、ディスプレイが縦型（第１の向き）である際に、時間軸を所定時間単位に区分したタイムスケールを表示する。所定時間単位とは、例えば「年」「月」「日」の単位となっている。また、これら所定時間単位が異なる複数のタイムスケールそれぞれは、時間軸に沿って複数のラインによって表示される。
【００４２】
イベントオブジェクト表示部１１４は、ディスプレイが縦型（第１の向き）である際に、タイムスケールの時間軸に対して、行為項目毎に、時間単位区分に応じてイベントのオブジェクトを表示する。
【００４３】
時間軸表示部１１５は、ディスプレイが縦型（第１の向き）である際に、タイムスケールの時間軸に対して、時刻軸を表示する。また、当該時刻軸は、ユーザ操作に応じて所望の時間区分の位置に移動させることができる。
【００４４】
行為内容表示部１１６は、ディスプレイが横型（第２の向き）に切り替えられた際に、時刻軸に対応する時間単位区分における行為項目及び行為内容情報を表示する。ここで、タイムスケールは表示しない。
【００４５】
タイムスケール変更部１１７は、ユーザ操作によって、複数のラインのいずれか１つを選択させる。タイムスケール変更部１１７は、ユーザ操作に応じて、時間軸のタイムスケールを任意に変更可能とする。例えば、ユーザインタフェース画面に表示された多段階のタイムスケールのラインのいずれか１つを、ユーザ操作に応じて選択することによって、タイムスケールを変更することができる。
【００４６】
以上、詳細に説明したように、本発明のユーザインタフェースプログラム、携帯端末及び方法によれば、タブレット型端末のような携帯端末を用いて、時系列に発生したイベントについて、長期／短期の観察表示を容易に切り替えることがきる。
【００４７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００４８】
１  タブレット型端末
１０１  ディスプレイ
１０２  加速度センサ
１１１  イベント記憶部
１１２  ディスプレイ回転判定部
１１３  タイムスケール表示部
１１４  イベントオブジェクト表示部
１１５  時間軸表示部
１１６  行為内容表示部
１１７  タイムスケール変更部
【図１】
0005484369.tif 000002
【図２】
0005484369.tif 000003
【図３】
0005484369.tif 000004
【図４】
0005484369.tif 000005